(57)【要約】【課題】平常時においては内部を広く使用することができるとともに、災害時においてはプライバシーが確保されたスペースを容易に形成することができる収納庫を提供すること。【解決手段】収納庫１はその内部１０に物品を収納可能となっており、内部１０において、収納庫１の背壁部１３に沿って設けられた支持部材２０と、一端側の端部３１が支持部材２０に回動可能に取り付けられたパネル部材３０とを有する。パネル部材３０は、背壁部１３に重ね合わされる第１状態と、支持部材２０を軸心として回動することにより、支持部材２０が取り付けられた支持側端部３１と反対側の自由端部３２が背壁部１３から離隔した位置に位置して内部１０を区画する第２状態とに切り替え可能に構成されている。【選択図】図２
0003186992.tif 000002
【実用新案登録請求の範囲】
【請求項１】
床部と、該床部の周縁部から立設された一対の側壁部、背壁部、及び前壁側扉部と、これらの上端に配された天井部とを備え、内部に物品を収納可能な収納庫であって、
上記内部において、上記背壁部又は上記側壁部に沿って設けられた支持部材と、一端側の端部が該支持部材に回動可能に取り付けられたパネル部材とを有し、
該パネル部材は、上記背壁部又は上記側壁部に重ね合わされる第１状態と、上記支持部材を軸心として回動することにより、上記支持部材が取り付けられた支持側端部と反対側の自由端部が上記背壁部又は上記側壁部から離隔した位置に位置して上記内部を区画する第２状態とに切り替え可能に構成されていることを特徴とする収納庫。
【請求項２】
上記パネル部材は、上記パネル部材によって区画された領域を遮蔽するシート状の遮蔽部材を取り付け可能に構成された棒状取付部材を有し、
該棒状取付部材は、該棒状取付部材の一端側の端部が上記自由端部の上端近傍に回動可能に取り付けられており、上記第１状態において上記自由端部に沿うように上下方向に配置され、上記第２状態において上記自由端部に取り付けられた側の取付側端部を中心に回動することにより、該取付側端部と反対側の端部が上記自由端部から離隔して上記側壁部又は上記背壁部に固定されるとともに上記遮蔽部材が取り付けられるように構成されていることを特徴とする請求項１に記載の収納庫。
【請求項３】
上記パネル部材は、上記床部を押圧して上記パネル部材を上記床部に固定した状態を維持するための押圧部材を有することを特徴とする請求項１又は２に記載の収納庫。
【考案の詳細な説明】
【技術分野】
【０００１】
本考案は、収納庫に関する。
【背景技術】
【０００２】
従来、災害時に使用される防災具等を平常時に収納しておく収納庫として、屋外に設置された簡易型の収納庫が用いられている。かかる収納庫として、例えば特許文献１に、床部の周縁部に一対の側壁部、背壁部及び前側扉部が立設され、これらの上端側に天井部が備えられた収納庫が開示されている。
【先行技術文献】
【特許文献】
【０００３】
【特許文献１】特開平１１−３５０７６０号公報
【考案の概要】
【考案が解決しようとする課題】
【０００４】
災害等の有事の際に多数の避難者が集まる避難所等では、トイレ、着替え、授乳等を行うためのプライバシーが確保されたスペースを整備することは非常に困難である。そこで、有事の際に防災具等を取り出した後の収納庫を、プライバシーが確保されたスペースとして利用することが考えられる。しかし、特許文献１に開示されるような収納庫には、内部を区画する間仕切りが備えられておらず、収納庫の扉を開けると即座に内部全域が露わになるため、当該収納庫内をプライバシーが確保されたスペースとして利用するには問題がある。また、収納庫から防災具等を取り出した後にその内部に間仕切りを別途設けることは、災害等の有事という特殊な状況下では非常に困難である。一方、収納庫内に予め間仕切りを設けておくこととすれば、平常時において防災具等を収納する際に邪魔になって内部を広く使用することができない場合があるため、好ましくない。したがって、防災具等の収納を目的とする従来の収納庫を、災害等の有事の際にプライバシーが確保されたスペースとして使用するには改良の余地があった。
【０００５】
そこで、本考案は、平常時においては内部を広く使用することができるとともに、災害等の有事の際にはプライバシーが確保されたスペースを内部に容易に形成することができる収納庫を提供することを目的とする。
【課題を解決するための手段】
【０００６】
本考案の一態様は、床部と、該床部の周縁部から立設された一対の側壁部、背壁部、及び前壁側扉部と、これらの上端に配された天井部とを備え、内部に物品を収納可能な収納庫であって、
上記内部において、上記背壁部又は上記側壁部に沿って設けられた支持部材と、一端側の端部が該支持部材に回動可能に取り付けられたパネル部材とを有し、
該パネル部材は、上記背壁部又は上記側壁部に重ね合わされる第１状態と、上記支持部材を軸心として回動することにより、上記支持部材が取り付けられた支持側端部と反対側の自由端部が上記背壁部又は上記側壁部から離隔した位置に位置して上記内部を区画する第２状態とに切り替え可能に構成されていることを特徴とする収納庫にある。
【考案の効果】
【０００７】
上記収納庫においては、平常時にはパネル部材を第１状態とすることにより、パネル部材が背壁部又は側壁部に重ね合わされ、収納庫の内部を広く使用することができる。一方、災害等の有事の際には、パネル部材を第２状態とすることにより、収納庫の内部にパネル部材によって区画された複数のスペースが形成される。そして、当該区画されたスペースはパネル部材と背壁部又は／及び側壁部によって、一方が開放された略コ字状に囲まれることとなる。そのため、当該区画されたスペースは、その開放側を遮蔽するだけで前壁側扉部を開いても当該区画されたスペースの内部が即座に露わになることが防止され、プライバシーが確保されたスペースとなる。これにより、プライバシーが確保されたスペースを容易に形成することができる。
【０００８】
以上のごとく、本考案によれば、平常時においては内部を広く使用することができるとともに、災害等の有事の際にはプライバシーが確保されたスペースを容易に形成することができる収納庫を提供することができる。
【図面の簡単な説明】
【０００９】
【図１】実施例１における、第１状態における収納庫の斜視図。
【図２】実施例１における、第２状態における収納庫の斜視図。
【図３】実施例１における、第１状態における収納庫の上面透過図。
【図４】実施例１における、第２状態における収納庫の上面透過図。
【図５】実施例１における、棒状取付部材の斜視図。
【図６】実施例１における、第１状態におけるパネル部材の一部拡大図。
【図７】実施例１における、第２状態におけるパネル部材の一部拡大図。
【図８】実施例２における、第１状態における収納庫の斜視図。
【図９】実施例２における、第２状態における収納庫の斜視図。
【図１０】実施例２における、第１状態における収納庫の上面透過図。
【図１１】実施例２における、第２状態における収納庫の上面透過図。
【考案を実施するための形態】
【００１０】
上記収納庫は、防災具等を収納する収納庫として使用することができる。上記収納庫は通常、屋外に設置するが、屋内に設置することとしてもよい。
【００１１】
上記収納庫において、上記パネル部材は、上記パネル部材によって区画された領域を遮蔽するシート状の遮蔽部材を取り付け可能に構成された棒状取付部材を有し、該棒状取付部材は、該棒状取付部材の一端側の端部が上記自由端部の上端近傍に回動可能に取り付けられており、上記第１状態において上記自由端部に沿うように上下方向に配置され、上記第２状態において上記自由端部に取り付けられた側の取付側端部を中心に回動することにより、該取付側端部と反対側の端部が上記自由端部から離隔して上記側壁部又は上記背壁部に固定されるとともに上記遮蔽部材が取り付けられるように構成されていることとすることができる。この場合には、当該棒状取付部材を利用して上記区画されたスペースを遮蔽することにより、プライバシーが確保されたスペースを一層容易に形成することができる。
【００１２】
上記収納庫において、上記パネル部材は、上記床部を押圧して上記パネル部材を上記床部に固定した状態を維持するための押圧部材を有することとすることができる。この場合には、押圧部材によって、パネル部材を床部に固定した状態を維持できるため、第２状態において、パネル部材によって区画された領域をプライバシーが確保されたスペースとして使用する際の信頼性が向上する。また、第１状態においては、パネル部材を背壁部又は側壁部に重ね合わせた状態を維持できるため、平常時において、不用意にパネル部材が回動することを防止できる。
【実施例】
【００１３】
（実施例１）
上記収納庫の実施例につき、図１〜図７を用いて説明する。
本例の収納庫１は、図１に示すように、床部１１と、床部１１の周縁部から立設された一対の側壁部１２、背壁部１３、及び前壁側扉部１４と、これらの上端に配された天井部１５とを備え、内部１０に物品を収納可能となっている。
収納庫１の内部１０には、背壁部１３又は側壁部１２に沿って設けられた支持部材２０と、一端側の端部（後述の支持側端部）３１が支持部材２０に回動可能に取り付けられたパネル部材３０とが備えられる。
そして、パネル部材３０は、背壁部１３又は側壁部１２に重ね合わされる第１状態（図３参照）と、支持部材２０を軸心として回動することにより、支持部材２０が取り付けられた支持側端部３１と反対側の自由端部３２が背壁部１３又は側壁部１２から離隔した位置に位置して収納庫１の内部１０を区画する第２状態（図４参照）とに切り替え可能に構成されている。
【００１４】
以下、本例の収納庫１について詳述する。
収納庫１は、屋外に設置されて、その内部１０には防災具等が収納可能となっている。図１に示すように、収納庫１の床部１１は矩形である。一対の側壁部１２は、床部１１の矩形の周縁部のうち、対向する一対の辺から立設されている。背壁部１３と前壁側扉部１４は、床部１１の矩形の周縁部において対向する一対のうち、一対の側壁部１２が立設されていない辺からそれぞれ立設されている。前壁側扉部１４は、３枚の板状部材からなるいわゆる２連片引戸であって、一方の側壁部１２側の２枚が他方の側壁部１２側に摺動して３枚が重なることにより収納庫１の前壁側が開放されるように構成されている。なお、図１において、収納庫１の幅方向をＸとし、奥行き方向をＹとし、上下方向（高さ方向）をＺとする。収納庫１の内部１０は、図１に示すように、直方体状である。本例では、収納庫１の内部１０の幅方向Ｘの長さは約２２００ｍｍ、奥行き方向Ｙの長さは約１５００ｍｍ、上下方向Ｚの長さは約２３００ｍｍである。
【００１５】
支持部材２０は、図１に示すように、柱状であって、収納庫１の内部１０において、背壁部１３に沿うように、床部１１から天井部１５に向かって床部１１に対して垂直（すなわち、上下方向Ｚ）に立設されている。支持部材２０の上端部２１は、背壁部１３における天井部１５側の枠部１３ａにねじ止めされて固定されている。また、支持部材２０の下端部２２は、背壁部１３における床部１１側の枠部１３ｂにねじ止めされて固定されている。図３に示すように、支持部材２０は、背壁部１３の幅方向Ｘの略中央に設けられている。
【００１６】
パネル部材３０は、図１に示すように、板状であって、パネル部材３０の上下方向Ｚ（高さ方向）の長さは収納庫１の内部１０の上下方向Ｚの長さよりも短く、パネル部材３０の幅方向Ｘの長さは、図４に示すように、収納庫１の内部１０の奥行き方向Ｙの長さよりも短い。本例では、図１に示す第１状態において、パネル部材３０の上下方向Ｚの長さは約１８００ｍｍであり、幅方向Ｘの長さは約１０００ｍｍであり、厚さ（奥行き方向Ｙの長さ）は約２５ｍｍである。
【００１７】
パネル部材３０は、図１に示すように、パネル部材３０の幅方向Ｘの一端側の端部（支持側端部）３１が、支持部材２０に沿うように配置されている。そして、支持側端部３１において、二個の接続部材２３を介して支持部材２０に接続されている。接続部材２３は、パネル部材３０が支持部材２０を軸心として回動可能となるように構成されている。これにより、パネル部材３０は支持部材２０に回動可能なように保持されている。接続部材２３の構成は特に限定されないが、本例では、接続部材２３として蝶番を採用した。
【００１８】
パネル部材３０は、支持部材２０に対して回動可能に取り付けられていることにより、背壁部１３に重ね合わされる第１状態（図１、図３）と、支持部材２０が取り付けられた支持側端部３１と反対側の自由端部３２が背壁部１３から離隔した位置に位置して内部１０を区画する第２状態（図２、図４）とに切り替え可能となっている。
第１状態においては、図３に示すように、パネル部材３０は背壁部１３と平行となって背壁部１３に重なっている。一方、第２状態においては、図４に示すように、パネル部材３０は支持部材２０を軸心として前壁側扉部１４側に約９０°回動して、背壁部１３に対して略垂直となる位置に位置している。
【００１９】
図１に示すように、パネル部材３０の自由端部３２には、棒状取付部材４１、４２が備えられている。棒状取付部材４１、４２は、略棒状であって、長手方向の長さは約１０５０ｍｍである。図５に示すように、棒状取付部材４１、４２の一端側の端部４１ａ、４２ａ及び他端側の端部４１ｂ、４２ｂにはそれぞれＣ字型の溝が形成されている。そして、図６に示すように棒状取付部材４１、４２の一端側の端部（取付側端部）４１ａ、４２ａにおいて、ねじ状の取付側固定部材４３によって、スペーサ４４を介してパネル部材３０の自由端部３２の上端近傍に回動可能に取り付けられている。
【００２０】
棒状取付部材４１、４２は、第１状態において、図６に示すように取付側固定部材４３にぶら下がった状態で互いに重ね合わされて、パネル部材３０の自由端部３２に沿うように上下方向Ｚに配置されている。
一方、第２状態においては、棒状取付部材４１は、図７に示すように、取付側端部４１ａを中心に一方の側壁部１２側に約９０°回動することにより、取付側端部４１ａと反対側の端部（係止側端部）４１ｂが自由端部３２から離隔して、パネル部材３０に対して垂直となっている。そして、棒状取付部材４１の係止側端部４１ｂは、側壁部１２に設けられた壁側固定部材５０に設けられたネジ部材５１に係止されて、一方の側壁部１２に固定されている。棒状取付部材４２は、棒状取付部材４１が固定される一方の側壁部１２と反対側の他方の側壁部１２側に約９０°回動することにより、パネル部材３０に対して垂直となり、棒状取付部材４１と同様の態様で他方の側壁部１２に固定される。
【００２１】
棒状取付部材４１には、第２状態において、図７に示すように、シート状の遮蔽部材６０が取り付けられる。遮蔽部材６０として、遮光性を有する材料や透光性の低い材料からなるカーテンを使用することができる。棒状取付部材４１には、棒状取付部材４１、４２の長手方向に沿って複数の孔（図示せず）が等間隔で形成されている。遮蔽部材６０は当該複数の孔と複数のフック６１とによって、棒状取付部材４１に吊り下げられた状態で取り付けられる。棒状取付部材４２においても、棒状取付部材４１と同様に遮蔽部材６０が取り付けられる。その結果、図４に示すように、第２状態において収納庫１の内部１０はパネル部材３０及び遮蔽部材６０によって、第１スペース１０ａ、第２スペース１０ｂ及び第３スペース１０ｃの３つに区画されることとなる。
【００２２】
図６に示すように、パネル部材３０の下端部３３における自由端部３２近傍には、押圧部材７０が備えられる。押圧部材７０は円柱状のベース部７１と、軸方向７２ａが上下方向Ｚに平行となるように設けられたネジ状の軸部７２と、パネル部材３０の下端部３３側に設けられたプレート７３とからなる。軸部７２はその下端部がベース部７１に埋設されている。軸部７２の上端部は、プレート７３に形成された軸方向７２ａに沿うネジ孔７３ａに螺入されている。軸部７２の長さは、パネル部材３０の下端部３３と床部１１との距離よりも長くなっており、軸部７２がプレート７３のネジ孔７３ａから抜ける方向にベース部７１を回転させることにより、ベース部７１を床部１１に当接させて床部１１を押圧することができる。これにより、支持部材２０に取り付けられたパネル部材３０は当該押圧力の反力を受けて、パネル部材３０を床部１１に固定した状態を維持することができる。一方、軸部７２がプレート７３のネジ孔７３ａに入る方向にベース部７１を回転させて、ベース部７１を床部１１から離隔させることにより、パネル部材３０を床部１１に固定した状態を解除することができる。かかる押圧部材７０によって、第１状態（図１、図６）、第２状態（図２、図７）のそれぞれにおいて、パネル部材３０を床部１１に固定した状態を維持することができる。
【００２３】
本例の収納庫１による作用効果について、詳述する。
本例の収納庫１によれば、平常時には、図１、図３に示すように、パネル部材３０を第１状態とすることにより、パネル部材３０が背壁部１３に重ね合わされ、収納庫１の内部１０を広く使用することができる。一方、災害等の有事の際には、図２、図４に示すように、パネル部材３０を第１状態から前壁側扉部１４の方向へ約９０°回動させて第２状態とすることにより、収納庫１の内部１０にパネル部材３０によって区画された複数のスペース（第１スペース１０ａ、第２スペース１０ｂ）を形成することができる。そして、当該区画された第１スペース１０ａ、第２スペース１０ｂは、パネル部材３０と背壁部１３及び側壁部１２によって、一方側（前壁側扉部１４側）が開放された略コ字状に囲まれることとなる。そのため、第１スペース１０ａ、第２スペース１０ｂは、その開放側（前壁側扉部１４側）を遮蔽するだけで前壁側扉部１４を開いても当該区画されたスペースの内部が即座に露わになることが防止され、プライバシーが確保されたスペースとなる。これにより、プライバシーが確保されたスペースを容易に形成することができる。よって、第１スペース１０ａ、第２スペース１０ｂをトイレ、着替え、授乳等を行うためのプライバシーが確保されたスペースとして使用することができる。
【００２４】
本例の収納庫１において、パネル部材３０は、パネル部材３０によって区画された第１スペース１０ａ及び第２スペース１０ｂと第３スペース１０ｃとを遮蔽するシート状の遮蔽部材６０を取り付け可能に構成された棒状取付部材４１、４２を有する。そして、棒状取付部材４１、４２は、棒状取付部材４１、４２の取付側端部４１ａ、４２ａが自由端部３２の上端近傍に回動可能に取り付けられている。棒状取付部材４１、４２は、第１状態において自由端部３２に沿うように上下方向Ｚに配置され、第２状態において取付側端部４１ａ、４２ａを中心に一対の側壁部１２側にそれぞれ９０°回動することにより、係止側端部４１ｂ、４２ｂが自由端部３２から離隔して側壁部１３に固定されるとともに遮蔽部材６０が取り付けられるように構成されている。これにより、棒状取付部材４１、４２を利用して区画されたスペース（第１スペース１０ａ、第２スペース１０ｂ）を遮蔽することにより、プライバシーが確保されたスペースを一層容易に形成することができる。
また、棒状取付部材４１、４２が一対の側壁部１２にそれぞれ固定されることにより、パネル部材３０を、背壁部１３に垂直となる位置に位置した状態を維持することができる。
【００２５】
本例では、棒状取付部材４１、４２はパネル部材３０に取り付けられて、パネル部材３０と一体化されている。これにより、棒状取付部材４１、４２をパネル部材３０と別体として構成する場合に比べて、第１状態から第２状態へ変更する際の作業性が向上する。第１状態から第２状態への変更は、災害等の有事という特殊な状況において行うため、かかる作業性の向上は非常に有効である。
【００２６】
本例の収納庫１において、パネル部材３０は、床部１１を押圧してパネル部材３０を床部１１に固定した状態を維持するための押圧部材７０を有する。これにより、押圧部材７０によって、パネル部材３０を床部１１に固定した状態を維持できるため、パネル部材３０によって区画された第１スペース１０ａ及び第２スペース１０ｂを、第２状態において、プライバシーが確保されたスペースとして使用する際の信頼性が向上する。また、第１状態においては、パネル部材３０を背壁部１３に重ね合わせた状態を維持できるため、平常時において、不用意にパネル部材３０が前壁側扉部１４側に回動することを防止できる。
【００２７】
本例では、第２状態において、パネル部材３０は第１状態から９０°回動させて背壁部１３に対して垂直となる位置に位置するようにしたが、これに限定されず、パネル部材３０を回動させる角度、すなわち、第２状態における背壁部１３に対するパネル部材３０の角度は、必要とされるプライバシーが確保されたスペースの大きさや形状、収納庫１の内部１０の大きさや形状等を考慮して、適宜変更することができる。
【００２８】
本例では、二つの棒状取付部材４１、４２を備えることにより、第１スペース１０ａ及び第２スペース１０ｂのそれぞれ遮蔽部材６０を設けることとしたが、プライバシーの確保の必要性に応じて、棒状取付部材４１、４２のうちの一方のみを設けて第１スペース１０ａ及び第２スペース１０ｂのいずれか一方にのみ遮蔽部材６０を設けることとしてもよい。
【００２９】
本例では、支持部材２０を背壁部１３に沿うように配置するとともに、パネル部材３０を支持部材２０に取り付けることにより、第１状態において、パネル部材３０が背壁部１３に重ね合わされるようにした。これに替えて、支持部材２０を一方の側壁部１２に沿うように配置するとともに、パネル部材３０を当該支持部材２０に取り付けることにより、第１状態において、パネル部材３０が一方の側壁部１２に重ね合わされるようにしてもよい。この場合には、第２状態において、棒状取付部材４１が背壁部１３側に回動可能なように構成するとともに、棒状取付部材４１の係止側端部４１ｂが背壁部１３に係止されて固定されるようにすることができる。これにより、かかる場合においても、パネル部材３０と遮蔽部材６０によりプライバシーが確保されたスペースを形成することができる。
【００３０】
本例では、パネル部材３０を支持部材２０に取り付ける接続部材２３として蝶番を使用したが、特にこれに限定されず、接続部材２３はパネル部材３０を支持部材２０に回動可能に取り付けることができるものであればよい。
【００３１】
本例では、支持部材２０を背壁部１３における天井部１５側の枠部１３ａ及び床部１１側の枠部１３ｂに固定したが、支持部材２０を背壁部１３の内部１０側の面に固定してもよい。また、本例では、支持部材２０として柱状の部材を使用したが、これに限定されず、第１状態及び第２状態を相互に切り替えできるようにパネル部材３０を回動可能に保持することができる構成であればよい。
【００３２】
本例では、遮蔽部材６０は、棒状取付部材４１、４２に設けた複数の孔（図示せず）に複数のフック６１を介して取り付けたが、棒状取付部材４１、４２にその長手方向に延びるレール部材を取り付けるとともに、フック６１を介して該レール部材に遮蔽部材６０を取り付けることにより、遮蔽部材６０を当該長手方向に摺動可能としてもよい。また、当該レール部材によって棒状取付部材４１、４２自体を形成して、フック６１を介して取り付けた遮蔽部材６０を当該長手方向に摺動可能としてもよい。
【００３３】
本例では、押圧部材７０として、ベース部７１と軸部７２とからなるものを使用したが、これに限らず、床部１１を押圧して反力によりパネル部材３０を床部１１に固定することができるものであればよい。
【００３４】
以上のごとく、本例によれば、平常時においては内部１０を広く使用することができるとともに、災害等の有事の際にはプライバシーが確保されたスペースを容易に形成することができる収納庫１を提供することができる。
【００３５】
（実施例２）
他の実施例における収納庫について以下、説明する。なお、実施例１における収納庫１と同等の構成要素には同一の符号を付してその説明を省略する。
本例の収納庫１は、図８に示すように、実施例１における収納庫１（図１）と奥行き方向Ｙ及び高さ方向Ｚの長さは同じであるが、幅方向Ｘが長くなっており、本例の収納庫１の内部１０における幅方向Ｘの長さは約３０００ｍｍである。そして、本例の収納庫１は、二枚のパネル部材３０１、３０２を備える。パネル部材３０１、３０２はいずれも実施例１におけるパネル部材３０と同一の構成を有している。そして、図１０に示すように、パネル部材３０１は支持部材２０１に取り付けられ、パネル部材３０２は支持部材２０２に取り付けられている。支持部材２０１、２０２はいずれも実施例１における支持部材２０と同一の構成を有している。支持部材２０１、２０２は、それぞれ、背壁部１３を幅方向Ｘにおいて三等分する位置にそれぞれ配設されている。
【００３６】
パネル部材３０１、３０２はいずれも、図８、図１０に示すように背壁部１３に重ね合わされた状態である第１状態と、第１状態からそれぞれ支持部材２０１、２０２を軸心として前壁側扉部１４側に９０°回動して、図９、図１１に示すように背壁部１３に対して垂直となる位置に位置した状態である第２状態とに切り替え可能となっている。
【００３７】
図８に示すように、パネル部材３０１には実施例１のパネル部材３０と同様に、２つの棒状取付部材４１、４２が取り付けられている。一方、パネル部材３０２には一つの棒状取付部材４１のみが取り付けられている。そして、第２状態において、図９、図１１に示すように、パネル部材３０１に取り付けられた棒状取付部材４１は、パネル部材３０２側に９０°回動して、その係止側端部４１ｂがパネル部材３０２の取付側固定部材４３に係止されて固定されるように構成されている。なお、パネル部材３０１に取り付けられた棒状取付部材４２と、パネル部材３０２に取り付けられた棒状取付部材４１とはいずれも実施例１の場合と同様にそれぞれ壁側固定部材５０に係止されて側壁部１２に固定されている。そして、各棒状取付部材４１、４１、４２には遮蔽部材６０が取り付けられる。
【００３８】
本例の収納庫１によれば、パネル部材３０１、３０２及び遮蔽部材６０により、収納庫１の内部１０は、第２状態において、図１１に示すように、第１スペース１０ｄ、第２スペース１０ｅ、第３スペース１０ｆ及び第４スペース１０ｇに区画されることとなる。これにより、第１スペース１０ｄ、第２スペース１０ｅ及び第３スペース１０ｆは、実施例１の第１スペース１０ａ、第２スペース１０ｂ（図４参照）と同様に、プライバシーが確保されたスペースとなり、本例においても実施例１と同等の作用効果を奏することとなる。さらに、本例の収納庫１は、実施例１の場合に比べて、プライバシーが確保されたスペースをより多く確保することができるため、プライバシーが確保されたスペースを整備することが困難な災害等の有事の際に非常に有用である。
【００３９】
本例では、収納庫１は２つのパネル部材３０１、３０２を有することとしたが、収納庫１の内部１０の広さ及び形状などを考慮して、必要とされるプライバシーが確保されたスペースの数に応じて、さらに多くのパネル部材を有することとしてもよい。
【００４０】
なお、上述した収納庫の内部に配設したパネル部材及びこれを回動可能に保持する支持部材は、この部分のみを間仕切り装置として分離して供給することが可能である。この場合においては、当該間仕切り装置を利用することにより、既存の間仕切りのない収納庫を上記の優れた収納庫に容易に改良することができる。
この間仕切り装置を以下に開示する。
（１）  床部と、該床部の周縁部から立設された一対の側壁部、背壁部、及び前壁側扉部と、これらの上端に配された天井部とを備え、内部に物品を収納可能な収納庫の該内部に取り付けられる間仕切り装置であって、
上記内部において、上記背壁部又は上記側壁部に沿って設けられるように構成された支持部材と、一端側の端部が該支持部材に回動可能に取り付けられたパネル部材とを有し、
該パネル部材は、上記背壁部又は上記側壁部に重ね合わされる第１状態と、上記支持部材を軸心として回動することにより、上記支持部材が取り付けられた支持側端部と反対側の自由端部が上記背壁部又は上記側壁部から離隔した位置に位置して上記内部を区画する第２状態とに切り替え可能に構成されていることを特徴とする間仕切り装置。
（２）  上記パネル部材は、上記パネル部材によって区画された領域を遮蔽するシート状の遮蔽部材を取り付け可能に構成された棒状取付部材を有し、
該棒状取付部材は、該棒状取付部材の一端側の端部が上記自由端部の上端近傍に回動可能に取り付けられており、上記第１状態において上記自由端部に沿うように上下方向に配置され、上記第２状態において上記自由端部に取り付けられた側の取付側端部を中心に回動することにより、該取付側端部と反対側の端部が上記自由端部から離隔して上記側壁部又は上記背壁部に固定されるとともに上記遮蔽部材が取り付けられるように構成されていることを特徴とする上記（１）に記載の間仕切り装置。
（３）  上記パネル部材は、上記床部を押圧して上記パネル部材を上記床部に固定した状態を維持するための押圧部材を有することを特徴とする上記（１）又は（２）に記載の間仕切り装置。
【符号の説明】
【００４１】
１  収納庫
１０  内部
１１  床部
１２  側壁部
１３  背壁部
１４  前壁側扉部
１５  天井部
２０、２０１、２０２  支持部材
３０、３０１、３０２  パネル部材
４１、４２  棒状固定部材
６０  遮蔽部材
７０  押圧部材
【図１】
0003186992.tif 000003
【図２】
0003186992.tif 000004
【図３】
0003186992.tif 000005
【図４】
0003186992.tif 000006
【図５】
0003186992.tif 000007
【図６】
0003186992.tif 000008
【図７】
0003186992.tif 000009
【図８】
0003186992.tif 000010
【図９】
0003186992.tif 000011
【図１０】
0003186992.tif 000012
【図１１】
0003186992.tif 000013